(57)【要約】【課題】可動枠上面に塗布した接着剤で反射ミラーを可動枠に固定しているため、接着剤の固化による収縮によって可動枠の面への引張力が反射ミラーに作用し、反射ミラーをひずませる。【解決手段】可動枠の上面２０ａに３つの支持部２０ｂを形成し、支持部で反射ミラーを支持する。４つの突部２０ｇが可動枠の側壁２０ｅに対向して２つずつ設けられ、突部と反射ミラー周囲との隙間に接着剤２０ｃが塗布されて、反射ミラー１０が可動枠２０に固定される。接着剤２０ｃが可動枠の上面２０ａに塗布されていないため、接着剤が収縮しても反射ミラー１０をひずませる可動枠の面への引張力が生じない。【選択図】図１
2007256403.tif 000002
【特許請求の範囲】
【請求項１】
一眼レフカメラの可動反射ミラー装置において、
一面に反射膜の形成された合成樹脂からなる板状の反射ミラーと、
枠部と上記反射ミラー周囲とで形成される隙間に接着剤が塗布されて上記反射ミラーを固着して、観察位置と撮影位置との間を可動な可動枠と、
を備えていることを特徴とする一眼レフカメラの可動反射ミラー装置。
【請求項２】
上記請求項１の一眼レフカメラの可動反射ミラー装置において、
上記可動枠は、上記反射ミラー周囲を囲う壁を有し、該壁には上記反射ミラーに向かって突部が形成され、該突部と上記反射ミラー周囲との間に形成される隙間に接着剤が塗布されていることを特徴とする一眼レフカメラの可動反射ミラー装置。
【請求項３】
一眼レフカメラの可動反射ミラー装置において、
一面に反射膜が形成され、一対の軸部を有する合成樹脂からなる反射ミラーと、
上記反射ミラーを載置するため上記一対の軸部を受ける軸受を有し、観察位置と撮影位置との間を可動な可動枠と、
を備え、上記可動枠に上記反射ミラーが上記軸受により軸受けされ、さらに、上記反射ミラーは上記一対の軸部を結ぶ線以外の部分に接着剤が塗布されて、上記可動枠に固定されていることを特徴とする一眼レフカメラの可動反射ミラー装置。
【請求項４】
上記請求項３の一眼レフカメラの可動反射ミラー装置において、
上記反射ミラーは、矩形板状に形成され、一辺に平行に上記一対の軸部が形成され、上記固定は上記一辺と平行する他辺近傍に接着剤が塗布されていることを特徴とする一眼レフカメラの可動反射ミラー装置。
【請求項５】
上記請求項３の一眼レフカメラの可動反射ミラー装置において、
上記一対の軸部は上記可動枠の回動軸と平行に配置されていることを特徴とする一眼レフカメラの可動反射ミラー装置。
【発明の詳細な説明】
【技術分野】
【０００１】
本発明は、観察位置と撮影位置（撮像装置）との間を回動する可動枠を持つ一眼レフカメラの可動反射ミラー装置に関する。
【背景技術】
【０００２】
一眼レフカメラにおいては、撮影光束の光路上で、撮影レンズとフィルム面や撮像素子（ＣＣＤ）などの撮影面（撮像面）との間に可動反射ミラー装置が配置されている。可動反射ミラー装置は、通常、観察位置に位置し、撮影のための絞りの開閉に連動して瞬間的に上方に回動して（跳ね上げられて）撮影位置に至り、直ちに観察位置に復帰するように構成されている。つまり、可動反射ミラー装置は、光路に対してほぼ４５°傾斜して撮影光束をペンタプリズム方向（上方向）に反射する観察位置と、観察位置から上方に回動し光路から退避して、撮影光束を撮影面に入射させる撮影位置（撮像装置；避難位置）との間を回動可能となっている。
【０００３】
一眼レフカメラの可動反射ミラー装置は、反射ミラーと、反射ミラーを保持する可動枠（ミラー枠）とを備え、通常、反射ミラーはガラスから、可動枠は合成樹脂若しくは軽合金などから成形される。しかし、反射ミラー、可動枠を合成樹脂から一体成形する構成も提案されている（実願平０１−０６５０８３号（実開平０３−００５１４３号）のマイクロフィル）。
また、可動枠の側壁に一対の回動軸がそれぞれ固着され、回転軸の自由端がミラーボックスの側板の取付け孔に軸支されることにより、可動枠は可動とされ、可動枠は反射ミラーとともにミラーボックスに回動可能に収納されている（たとえば、特開２００２−３７２７４６号公報参照）。
【０００４】
可動枠は、たとえば、回動軸に巻装されたねじりばねによって観察位置方向に付勢され、ミラーボックス側板に設けたストッパに可動枠が当接して、反射ミラーは可動枠とともに観察位置に保持される。被駆動軸が可動枠側壁に設けられ、この被駆動軸を介して可動枠駆動装置からの駆動力が可動枠に伝達されることにより、反射ミラーを保持する可動枠はねじりばねの付勢力に抗して撮影位置方向に回動される。そして、可動枠への駆動力の伝達が断たれると、ねじりばねの付勢力によって可動枠は撮影位置からストッパと当接する観察位置に回動して初期位置（観察位置）に戻される。
【０００５】
たとえば、従来の一眼レフカメラの可動反射ミラー装置１００においては、その分解斜視図である図４（Ａ）に示すように、反射ミラー１１０の載せられる可動枠１２０の上面１２０ａ上に、凸形状の支持部１２０ｂを形成し、支持部の回りで上面に接着剤１２０ｃを塗布している。一対の回動軸２０ｄが可動枠の側壁１２０ｅの端部に設けられ、可動枠１２０の中央にＡＦ用開口１２０ｆが形成されている。そして、例えば、３つの支持部１２０ｂがＡＦ用開口を囲むようにほぼ正三角形の頂点に位置するように配置されている。支持部１２０ｂは、例えば、円柱形状とされる。そして、反射ミラー１１０は支持部１２０ｂ上に支持され、接着剤１２０ｃによって可動枠１２０上に固定されている。
【０００６】
なお、反射ミラー１１０はハーフミラーであり、サブミラー（図示しない）がＡＦ用開口１２０ｆの背後で可動枠１２０に回動可能に取付けられている。そして、光路Ｘに対してほぼ４５°傾斜した観察位置において、光束の一部は反射ミラー１００を透過し、サブミラーで反射され、ＡＦ用開口１２０ｆを介してカメラ内下方のＡＦ測距センサー（図示しない）に導かれる。
図４（Ｂ）は図４（Ａ）の断面Ｃ−Ｃに沿った断面図を示し、図４（Ｃ）は図４（Ａ）の矢視Ｄ−Ｄからの引張力の作用状態の模式図を示す。
【特許文献１】実願平０１−０６５０８３号（実開平０３−００５１４３号）のマイクロフィル
【特許文献２】特開２００２−３７２７４６号公報
【発明の開示】
【発明が解決しようとする課題】
【０００７】
可動枠の上面１２０ａに設けた支持部１２０ｂで反射ミラー１１０を支持し、支持部の回りに塗布した接着剤１２０ｃで反射ミラーを可動枠に固定する従来の構成では、固化によって接着剤が収縮し、下向きの引張力ｐが反射ミラー１１０に作用する。そして、接着剤１２０ｃが支持部１２０ｂの回りで均一に塗布されず、引張力ｐが不均一に作用するため、図４（Ｃ）に示すように反射ミラー１１０にひずみが発生する。特に、不均一な引張力ｐによって支持部１２０ｂを支点として曲げモーメントが発生し、反射ミラー１１０にひずみが生じやすい。
【０００８】
接着剤１２０ｃを可動枠の上面１２０ａ上に均一に塗布することは非常に難しく、支持部１２０ｂの回りで可動枠の上面に接着剤を塗布して反射ミラー１１０を可動枠１２０に固定させる構成では、接着剤の収縮によるひずみの発生は避け難い。そして、ひずみの発生によって、反射ミラー１１０の平面度が劣化し、可動反射ミラー装置１００の光学面としての機能が損なわれるおそれがある。
本発明は、反射ミラーのひずみの発生を防止した一眼レフカメラの可動反射ミラー装置の提供を目的としている。
【課題を解決するための手段】
【０００９】
請求項１記載の本発明によれば、一眼レフカメラの可動反射ミラー装置は、一面に反射膜の形成された合成樹脂からなる板状の反射ミラーと；枠部と上記反射ミラー周囲とで形成される隙間に接着剤が塗布されて上記反射ミラーを固着して、観察位置と撮影位置との間を可動な可動枠と；を備えていることを特徴としている。
【００１０】
また、請求項３記載の本発明によれば、一眼レフカメラの可動反射ミラー装置は、一面に反射膜が形成され、一対の軸部を有する合成樹脂からなる反射ミラーと；上記反射ミラーを載置するため上記一対の軸部を受ける軸受を有し、観察位置と撮影位置との間を可動な可動枠と；を備え、上記可動枠に上記反射ミラーが上記軸受により軸受けされ、さらに、上記反射ミラーは上記一対の軸部を結ぶ線以外の部分に接着剤が塗布されて、上記可動枠に固定されていることを特徴としている。
【発明の効果】
【００１１】
請求項１記載の本発明では、可動枠と反射ミラーの周囲とで形成される隙間に接着剤が塗布されているため、接着剤が収縮しても下向きの引張力が反射ミラーに作用せず、反射ミラーがひずみを生じることなく可動枠に固定される。また、反射ミラーを合成樹脂から成形しているため、可動反射ミラー装置を軽量化できる。
【００１２】
請求項３記載の本発明では、可動枠の軸受による一対の軸部での軸受けと一対の軸部を結ぶ線以外の部分に塗布された接着剤の接着固定によって可動枠に反射ミラーを固定しているため、反射ミラーがひずみを生じることなく可動枠に確実に固定される。また、反射ミラーを合成樹脂から成形しているため、可動反射ミラー装置を軽量化できる。
【発明を実施するための最良の形態】
【００１３】
本発明では、合成樹脂製の反射ミラーを可動枠に接着固定させる際に、この反射ミラーに対する曲げモーメントを発生させないように固定している。
【実施例１】
【００１４】
図１は本発明の一実施例（実施例１）に係る一眼レフカメラの可動反射ミラー装置を示し、（Ａ）は可動反射ミラー装置の分解斜視図、（Ｂ）（Ｃ）は反射ミラーを可動枠に固定した場合での（Ａ）の矢視Ｂ−Ｂからの可動反射ミラー装置の部分断面図および矢視Ｃ−Ｃからの可動反射ミラー装置の断面図、（Ｄ）は引張力の作用の模式図を示す。
【００１５】
一眼レフカメラの可動反射ミラー装置１は反射ミラー１０と可動枠２０とを備えて構成されている。反射ミラー１０は、ポリメチルメタクリレート（ＰＭＭＡ）などの合成樹脂から板状に成形され、その上面１０ａは、所定精度に研磨し研磨面にアルミニウム蒸着、銀蒸着などによって反射膜を形成した反射面となっている。
【００１６】
可動枠２０は、支持部２０ｂと、回動軸２０ｄと、一対の側壁２０ｅとを有している。支持部２０ｂは、たとえば凸状の部分球形状とされて可動枠の上面２０ａでほぼ正三角形の頂点に位置するように配置され、実施例では、回動軸２０ｄの側に２つの支持部が、回動軸２０ｄの反対側に１つの支持部が設けられている。回動軸２０ｄは側壁２０ｅの端部で一対の側壁間に架設されている。側壁２０ｅは枠部であり、反射ミラー１０の周囲を囲んで形成されている。反射ミラー１０がハーフミラーであるため、ＡＦ用開口２０ｆが可動枠２０に形成され、サブミラー（図示しない）がＡＦ用開口の背後で可動枠に回動可能に取付けられている。
【００１７】
４つの突部２０ｇが可動枠の側壁２０ｅから反射ミラー１０に向かって２つずつ対向して形成されている。突部２０ｇは、たとえば、その横断面を部分円筒形状とされ、突部直下で可動枠の上面２０ａに凹部２０ｈが形成されている。なお、支持部２０ｂは対向する２つの突部２０ｇを結ぶ線Ｌからずれた位置に置かれている。
なお、可動枠２０は、たとえば、ポリカーボネートなどの合成樹脂若しくはアルミ合金、マグネシウム合金などの軽金属などから成形される。
【００１８】
反射ミラー１０は可動枠上面２０ａの支持部２０ｂに載せられて支持され、可動枠側壁の突部２０ｇと反射ミラー１０の周囲（側面）との隙間に塗布された接着剤２０ｃによって反射ミラー１０は可動枠２０に固定されている。
このように可動枠２０の側面で接着剤２０ｃによって反射ミラー１０を可動枠に接着、固定する構成では、図１（Ｄ）に模式的に示すように、固化によって接着剤２０ｃが収縮して引張力ｐが発生しても、引張力ｐは側面方向に作用するにすぎず、反射ミラーを下方（可動枠の上面２０ａ方向）に引張る引張力が反射ミラーに作用しない。そのため、反射ミラー１０はひずみを生じることなく可動枠２０に固定され、反射ミラーの平面度が劣化せず、可動反射ミラー装置１の光学面としての機能が損なわれおそれはない。
また、可動枠の突部２０ｇは、横断面が部分円筒形状であり、反射ミラーと線接触しているにすぎず、反射ミラー１０と可動枠の突部２０ｇとの隙間に塗布される接着剤２０ｃも僅かで足りる。そのため、接着剤２０ｃの収縮によって生じる側面方向の引張力ｐも僅かにすぎない。
【００１９】
可動枠側壁の突部２０ｇを部分円筒形状としたため、反射ミラー１０の周囲と線接触し、突部２０ｇと反射ミラーとの隙間に僅かの接着剤２０ｃを塗布すれば足りるから、接着剤の垂れるおそれは少ない。そして、反射ミラー１０と可動枠の突部２０ｇとの隙間に塗布された接着剤２０ｃが垂れても、突部２０ｇ直下の凹部２０ｈが接着剤の逃げ溝（液溜め）となるとともに、支持部２０ｂによって可動枠上面２０ａから離反して反射ミラー１０が支持されているため、可動枠上面、反射ミラー間への接着剤の漏出が防止される。つまり、接着剤２０ｃが垂れても、可動枠の上面２０ａへの引張力が反射ミラー１０に作用することはなく、反射ミラーにひずみは生じない。
また、支持部２０ｂが部分球形状とされ、反射ミラー１０は可動枠２０に点接触で保持されているため、可動枠上での反射ミラー１０の平面度が的確に確保できる。
さらに、反射ミラー１０が合成樹脂から成形されているため、可動反射ミラー装置１が軽量化される。
【００２０】
なお、図１（Ｃ）では、可動反射ミラー１は、ストッパ３０に可動枠２０が当接して光路Ｘに対してほぼ４５°傾斜した観察位置にあり、光束の一部は反射ミラーを透過しＡＦ用開口２０を介してサブミラー（図示しない）で反射されてカメラ内下方のＡＦ測距センサー（図示しない）に導かれる。そして、撮影のための絞りの開閉に連動して、可動反射ミラー１は瞬間的に上方に回動して（跳ね上げられて）撮影位置に至り、直ちに観察位置に復帰することはいうまでもない。
【００２１】
可動枠上面の支持部２０ｂは、反射ミラーの平面度を的確に確保可能な形状であれば足り、図示の部分球形状に限定されず、たとえば円錐台形状としてもよい。
同様に、可動枠側壁の突部２０ｇも反射ミラー１０との隙間に接着剤２０ｃを僅かに介在させるだけで反射ミラーを可動枠２０に固定可能な形状であれば足り、図示の部分円筒形状に限定されず、たとえば、円錐台断面としてもよい。
【実施例２】
【００２２】
図２は本発明の別実施例（実施例２）に係る一眼レフカメラの可動反射ミラー装置を示し、（Ａ）は可動反射ミラー装置の分解斜視図、（Ｂ）（Ｃ）は反射ミラーを可動枠に固定した場合での（Ａ）の矢視Ｂ−Ｂからの可動反射ミラー装置の拡大部分断面図および矢視Ｃ−Ｃからの可動反射ミラー装置の拡大断面図を示す。
ここで、上記実施例１の構成部材と同じ機能を有する実施例２の対応する構成部材には同じ参照番号を付してその説明を省略し、実施例１と異なる構成を主として説明する。
【００２３】
実施例２の特徴は接着剤の使用を最小限とした点にあり、実施例１で４ヶ所において使用された接着剤は、実施例２では１ヶ所でしか使用されていない。
すなわち、反射ミラー１０は矩形板状とされ、先端を球状とした一対の軸部１０ｂが、反射ミラーの一辺１０ｃと平行に、可動枠側壁２０ｅと対向する反射ミラーの側面に形成されている。なお、一対の軸部１０ｂは、可動枠の回動軸２０ｄに対しても平行に位置している。軸部１０ｂを軸受けする一対の受け部（軸受）２０ｉが、回動軸２０ｄに隣接する位置に反射ミラーに向かって可動枠の側壁２０ｅの内面に形成されている。受け部２０ｉは図２（Ｃ）に示すように、その底方向に進むにともなって回動軸２０ｄから離反する方向に傾斜した形状となっている。
【００２４】
また、回動軸２０ｄから離反した可動枠端面２０ｊで、一対の受け部２０ｉから異なる距離の位置に、１つの把持部２０ｋが形成されている。つまり、把持部２０ｋは可動枠端面２０ｊの中央からずれた位置に形成されている。把持部２０ｋは反射ミラー１０を把持して可動枠２０からの反射ミラーの離脱を防止する。この把持部２０ｋは、反射ミラー１０を可動枠２０に固定する際には、反射ミラーの一辺１０ｃに平行な他辺１０ｄの近傍に位置することとなる。
そして、把持部２０ｋの直下で可動枠上面２０ａに凹部２０ｈが形成されるとともに、部分球形状の支持部２０ｂが把持部から回動軸側に離反した位置で可動枠上面２０ａに形成されている。
【００２５】
把持部２０ｋは一対の受け部２０ｉを結ぶ線Ｌ（一対の軸部１０ｂを結ぶ線でもある）上にないから、接着剤２０ｃは線Ｌ以外の部分に塗布されることとなる。そして、反射ミラーの一対の軸部１０ｂが可動枠の軸受け２０ｉで軸受けされ、一辺１０ｃに平行な他辺１０ｄの近傍に塗布された接着剤２０ｃ、つまり、可動枠端面の把持部２０ｋの内面に塗布された接着剤によって、反射ミラー１０は可動枠２０に可動枠に固定されている。
【００２６】
このように、可動枠側壁２０ｅの２ヶ所での軸受けと可動枠２０の端面（他辺１０ｄ近傍）での１ヶ所の接着で反射ミラー１０を可動枠２０に固定する実施例２の構成において、固化によって接着剤２０ｃが収縮しても引張力は端面方向に発生するにすぎず、可動枠の面への引張力は反射ミラーに作用しない。そのため、ひずみを生じることなく反射ミラー１０を可動枠２０に固定できる。
【００２７】
把持部２０ｋに塗布された接着剤２０ｃが垂れても、把持部直下の凹部２０ｈが接着剤の逃げ溝（液溜め）となるとともに、支持部２０ｂによって可動枠上面２０ａから離反して反射ミラー１０が支持されているため、可動枠上面、反射ミラー間への接着剤の漏出が防止される。
反射ミラーの軸部１０ｂの先端が部分球形状とされ、その部分球形状部が軸受２０ｉに軸受けされているため、可動枠の２０のひずみが反射ミラーに伝わらない。また、軸受２０ｉが回動軸２０ｄから離反する方向に傾斜しているため、可動枠２０の回動時の遠心力による可動枠からの反射ミラー１０の剥離が防止される。
一対の軸部１０ｂが可動枠の回動軸２０ｄに対して平行に配置されるため、可動枠２０に対する反射ミラーの位置決めが、反射ミラーの軸部、可動枠の回動軸を利用して行なえる。また、一対の軸部１０ｂが反射ミラーの一辺１０ｃと平行に形成されているため、横にずれることなく、反射ミラー１０が可動枠の上面２０ａ上に容易に載せられて支持される。
【実施例３】
【００２８】
図３は本発明の他の別実施例（実施例３）に係る一眼レフカメラの可動反射ミラー装置を示し、（Ａ）は可動反射ミラー装置の分解斜視図、（Ｂ）（Ｃ）は反射ミラーを可動枠に固定した場合での（Ａ）の矢視Ｂ−Ｂからの可動反射ミラー装置の拡大部分断面図および矢視Ｃ−Ｃからの可動反射ミラー装置の断面図、（Ｄ）は（Ａ）の矢視Ｄからの可動反射ミラー装置の拡大部分側面図を示す。
上記実施例１、２の構成部材と同じ機能を有する実施例３の対応する構成部材には同じ参照番号を付してその説明を省略し、実施例１、２と異なる構成を主として説明する。
【００２９】
実施例３では、支持部２０ｈを設けていない。また、回動軸２０ｄから離反した可動枠側壁２０ｅの端部を回動軸２０ｄから遠ざかると拡がるように形成された開口を有するフォーク形状の軸受２０ｉとしており、反射ミラーの一対の軸部１０ｂは回動軸２０ｄに接近する方向にスライドされて軸受２０ｉに軸受けされる。そして、一対の軸受２０ｉを結ぶ線Ｌ（一対の軸部１０ｂを結ぶ直線でもある）の上以外の、例えば、一対の受け部２０ｉから等間隔離れた位置で可動枠の上面２０ａに接着剤２０ｃを塗布して反射ミラー１０が可動枠２０に固定されている。
【００３０】
可動枠の上面２０ａに接着剤２０ｃを塗布しているため、接着剤の収縮によって可動枠の上面２０ａへの引張力が生じて、反射ミラーに作用する。しかし、可動枠の上面２０ａに支持部を設けていないため、支持部を支点とした曲げモーメントの発生する余地はなく、反射ミラー１０の平面度を劣化させて可動反射ミラー装置の光学面としての機能を損なうほどのひずみの生じるおそれはない。
【００３１】
図３（Ｄ）に示すように、フォーク形状の軸受２０ｉの上方の内面ａは開口端方向で角度θで傾斜して形成されている。このように、受け部２０ｉを傾斜付とすれば、受け部の加工誤差を吸収しガタをなくして軸部１０ｂが受け部２０ｉに軸受けされる。
【００３２】
上記のように本発明によれば、可動枠の上面でなく可動枠の枠部（側壁）と反射ミラーの周囲との隙間に接着剤を塗布して反射ミラーを可動枠に固定している。そのため、接着剤が収縮しても、可動枠の面への引張力が反射ミラーに作用せず、反射ミラーに対して曲げモーメントを発生させないため、ひずみを生じることなく反射ミラーを可動枠に固定できる。
また、別の実施例の本発明によれば、軸受けされる反射ミラーの一対の軸部を結ぶ線以外の部分に接着剤を塗布して反射ミラーを可動枠に固定した場合に、可動枠の面への引張力が反射ミラーに作用しても、反射ミラーに対して曲げモーメントを発生させないため、ひずみを生じることなく反射ミラーを可動枠に固定できる。
また、反射ミラーを合成樹脂から成形したため、可動反射ミラー装置を軽量化できる。
【産業上の利用可能性】
【００３３】
本発明は、反射ミラーを観察位置と撮影位置との間を回動する可動枠に固定してなる一眼レフカメラの可動反射ミラー装置に広範囲に応用できる。
【図面の簡単な説明】
【００３４】
【図１】本発明の一実施例（実施例１）に係る一眼レフカメラの可動反射ミラー装置を示し、（Ａ）は可動反射ミラー装置の分解斜視図、（Ｂ）（Ｃ）は反射ミラーを可動枠に固定した場合での（Ａ）の矢視Ｂ−Ｂからの可動反射ミラー装置の部分断面図および矢視Ｃ−Ｃからの可動反射ミラー装置の断面図、（Ｄ）は引張力の作用状態の模式図を示す。
【図２】本発明の別実施例（実施例２）に係る一眼レフカメラの可動反射ミラー装置を示し、（Ａ）は可動反射ミラー装置の分解斜視図、（Ｂ）（Ｃ）は反射ミラーを可動枠に固定した場合での（Ａ）の矢視Ｂ−Ｂからの可動反射ミラー装置の拡大部分断面図および矢視Ｃ−Ｃからの可動反射ミラー装置の拡大断面図を示す。
【図３】本発明の他の別実施例（実施例３）に係る一眼レフカメラの可動反射ミラー装置を示し、（Ａ）は可動反射ミラー装置の分解斜視図、（Ｂ）（Ｃ）は反射ミラーを可動枠に固定した場合での（Ａ）の矢視Ｂ−Ｂからの可動反射ミラー装置の拡大部分断面図および矢視Ｃ−Ｃからの可動反射ミラー装置の拡大断面図、（Ｄ）は（Ａ）の矢視Ｄからの可動反射ミラー装置の拡大部分側面図を示す。
【図４】従来の一眼レフカメラの可動反射ミラー装置を示し、（Ａ）は可動反射ミラー装置の分解斜視図、（Ｂ）は（Ａ）の矢視Ｃ−Ｃからの断面図、（Ｃ）は（Ａ）の矢視Ｄ−Ｄからの引張力の作用状態の模式図を示す。
【符号の説明】
【００３５】
１      一眼レフカメラ
１０    反射ミラー
１０ａ  上面
１０ｂ  軸部
１０ｃ、１０ｄ  辺
２０    可動枠（ミラー枠）
２０ａ  上面
２０ｂ  支持部
２０ｃ  接着剤（塗布部分）
２０ｄ  回動軸
２０ｅ  側壁  
２０ｆ  ＡＦ用開口  
２０ｇ  突部
２０ｈ  凹部（液溜め）
２０ｉ  軸受
２０ｊ  端面
２０ｋ  把持部
Ｌ      一対の軸受（軸部）を結ぶ線  
【図１】
2007256403.tif 000003
【図２】
2007256403.tif 000004
【図３】
2007256403.tif 000005
【図４】
2007256403.tif 000006